(57)【要約】【課題】ディジタル保護制御装置の構成を簡素化して、検証作業を簡素化すること。【解決手段】電力系統の複数のアナログ交流電気量をそれぞれ入力変換器１ａを介して順次取り込んでディジタル変換及びディジタルフィルタ処理をする信号入力手段１ｄと、信号入力手段１ｄから出力される複数のディジタル交流電気量に基づいて予め設定された複数の判定対象データを生成し、生成された複数の判定対象データを予め定められた周期で出力する信号処理手段１ｅと、信号処理手段１ｅから周期で出力される複数の判定対象データの中から予め設定された判定対象データを選択し、選択した判定対象データと整定値とを比較して保護リレー出力を生成する複数のシーケンス処理を有してなるシーケンス手段１ｇとを備えてなるディジタル保護制御装置を構成する。【選択図】  図１
2010045896.tif 000002
【特許請求の範囲】
【請求項１】
電力系統の複数のアナログ交流電気量をそれぞれ入力変換器を介して順次取り込んでディジタル変換及びディジタルフィルタ処理をする信号入力手段と、
該信号入力手段から出力される複数のディジタル交流電気量に基づいて複数の判定対象データを生成し、該生成された前記複数の判定対象データを予め定められた周期で出力する信号処理手段と、
前記信号処理手段から前記周期で出力される前記複数の判定対象データの中から予め設定された判定対象データを選択し、該選択した判定対象データと整定値とを比較して保護リレー出力を生成する複数のシーケンス処理を有してなるシーケンス手段とを備えてなるディジタル保護制御装置。
【請求項２】
請求項１に記載のディジタル保護制御装置において、
前記複数の判定対象データは、前記電力系統の系統状態量に相関する基本量のうちの、予め設定された基本量であることを特徴とするディジタル保護制御装置。
【請求項３】
請求項１又は２に記載のディジタル保護制御装置において、
前記信号処理手段は、前記複数の判定対象データを生成するためのハードウェアで構成された信号生成回路を備えることを特徴とするディジタル保護制御装置。
【請求項４】
請求項１乃至３のいずれか１項に記載のディジタル保護制御装置において、
前記信号処理手段は、前記信号入力手段が前記アナログ交流電気量をサンプリングするサンプリング周期で前記複数のデータを出力することを特徴とするディジタル保護制御装置。
【発明の詳細な説明】
【技術分野】
【０００１】
本発明は、ディジタル保護制御装置に関する。
【背景技術】
【０００２】
従来のディジタル保護制御装置は、例えば、特許文献１に記載されているような、アナログ量をＡ／Ｄ変換し、Ａ／Ｄ変換したデータをマイコン等のディジタル演算装置にて、予め定めたプログラムに基づき保護リレー演算を行い、系統事故の有無を検出するディジタル形保護継電器が、変電所向けの保護装置にはほぼ主流の構成として採用されている。
【０００３】
また、非特許文献１に記載の第２世代ディジタルリレーにおいては、ハードウェアによって変換された電力系統の電圧・電流入力データを用いて、マイクロプロセッサのソフトウェアで各種の保護演算等を実行している。
【０００４】
上記従来のディジタル保護制御装置では、１台のマイクロプロセッサで複数の保護リレー演算とシーケンス処理等を時分割で処理し、保護リレー出力を行っている。
【０００５】
【特許文献１】特許２６９４９９３号
【非特許文献２】電気共同研究第５０巻第１号第２世代ディジタルリレー
【発明の開示】
【発明が解決しようとする課題】
【０００６】
ところで、ディジタル保護制御装置は、保護リレー特性、総合動作特性、静特性及び動作・復帰時間特性等の検証作業を行わなければならない。従来のディジタル保護制御装置では、１台のマイクロプロセッサで複数の保護リレー演算とシーケンス処理等を行っているため、シーケンス処理を追加した際や、マイクロプロセッサのソフトウェアの一部変更の際でも保護リレー演算とシーケンス処理の全てについて検証作業を実施しなければならず、多大な変更検証工数を必要としていた。
【０００７】
本発明が解決しようとする課題は、ディジタル保護制御装置の構成を簡素化して、検証作業を簡素化することにある。
【課題を解決するための手段】
【０００８】
上記課題を解決するため、本発明のディジタル保護制御装置は、電力系統の複数のアナログ交流電気量をそれぞれ入力変換器を介して順次取り込んでディジタル変換及びディジタルフィルタ処理をする信号入力手段と、その信号入力手段から出力される複数のディジタル交流電気量に基づいて予め設定された複数の判定対象データを生成し、その生成された複数の判定対象データを予め定められた周期で出力する信号処理手段と、信号処理手段から周期で出力される複数の判定対象データの中から予め設定された判定対象データを選択し、その選択した判定対象データと整定値とを比較して保護リレー出力を生成する複数のシーケンス処理を有してなるシーケンス手段とを備えてなることを特徴とする。
【０００９】
本発明によれば、信号入力手段で予め設定された複数の判定対象データを生成しておけることから、シーケンス手段には判定対象データを生成するための回路やソフトウェア等を組み込む必要がなく、シーケンス手段では複数の判定対象データのうちから選択した判定対象データと、整定値との比較のみを行うように構成することができる。これにより、シーケンス手段を新たに設けたり、変更したりした際のディジタル保護制御装置の検証作業が簡素化される。すなわち、信号処理手段については変更していないので、この部分の検証作業は不要である。また、信号処理手段のソフトウェアを一部変更した場合は、シーケンス手段については変更していないので、この部分の検証作業は不要である。
【００１０】
この場合において、複数の判定対象データは、電力系統の系統状態量に相関する基本量のうちの、予め設定された基本量である。
【００１１】
電力系統の系統状態量に相関する基本量とは、例えば、振幅、周波数、位相、実効値等であり、予め設定された基本量とは、シーケンス手段が保護リレー出力を行うために、整定値と比較するのに必要なデータである。例えば、保護リレーが、過電流リレーならば、電流振幅値である。
【００１２】
また、信号処理手段は、複数の判定対象データを生成するためのハードウェアで構成された信号生成回路を備えるように構成することができる。
【００１３】
これにより、ソフトウェア処理によるサンプリングよりも高速なサンプリングを行うことができる。また、ソフトウェア処理は、シーケンス手段のシーケンス処理のみとすることができる。信号生成回路としては、例えば、ヒルベルト変換器等が挙げられる。
【００１４】
また、信号処理手段は、信号入力手段がアナログ交流電気量をサンプリングするサンプリング周期で複数の判定対象データを出力するように構成することもできる。
【００１５】
なお、サンプリングを電気角３．７５度で行った場合、複数の判定対象データの出力周期を電気角３０度で行って、データを間引くように構成してもよい。
【発明の効果】
【００１６】
本発明によれば、ディジタル保護制御装置の構成を簡素化して、検証作業を簡素化できる。
【発明を実施するための最良の形態】
【００１７】
以下、本発明のディジタル保護制御装置を実施例に基づいて図面を参照して説明する。
【実施例】
【００１８】
図１は、本発明のディジタル保護制御装置の実施例を示す構成図である。図１に示すように、ディジタル保護制御装置は、電力系統の複数のアナログ交流電気量をそれぞれ入力変換器１ａを介して順次取り込んでディジタル変換及びディジタルフィルタ処理を行い、信号入力手段１ｄから出力される複数のディジタル交流電気量に基づいて予め設定された複数の判定対象データを生成し、生成された複数の判定対象データを予め定められた周期で出力する主検出手段１ｂ１及び事故検出手段１ｂ２と、監視手段１ｆと、シーケンス手段１ｇ、１ｊと、入力・出力手段１ｈ、１ｋと、操作・表示パネル手段１ｍとを備えている。
【００１９】
ネットワーク１００ｅは、主検出手段１ｂ１と、監視手段１ｆと、シーケンス手段１ｇと、入力・出力手段１ｈとに接続されており、ネットワーク１００ｆは、主検出手段１ｂ２と、監視手段１ｆと、シーケンス手段１ｊと、入力・出力手段１ｋとに接続されている。ネットワーク１００ｃは、主検出手段１ｂ１と、監視手段１ｆとに接続されており、ネットワーク１００ｄは、主検出手段１ｂ２と、監視手段１ｆとに接続されている。監視手段１ｆは、ネットワーク１００ｇを介して操作・表示パネル手段１ｍに接続されており、ネットワーク１００ｈを介して図示しないパソコン等に接続されている。入力・出力手段１ｈは、ネットワーク１００ｉ、１００ｊを介して図示しない各種保護リレーに接続されており、入力・出力手段１ｋは、ネットワーク１００ｋ、１００ｌを介して図示しない保護リレーに接続されている。
【００２０】
なお、故障検出手段１ｂ２、シーケンス手段１ｊ、入力・出力手段１ｋはそれぞれ、主検出手段１ｂ１、シーケンス手段１ｇ、入力・出力手段１ｈと同じ構成であるので、以降の説明は、故障検出手段１ｂ２、シーケンス手段１ｊ、入力・出力手段１ｋについて行う。
【００２１】
電力系統からの複数の電圧・電流信号を入力変換器１ａにて電子回路で扱えるフルスケール±１０Ｖのアナログ交流電気量に変換する。アナログ交流電気量は主検出手段１ｂ１及び故障検出手段１ｂ２双方に並列に供給するように構成する。このことは、入力変換器１ａの故障率が一般的に見ても、非常に低いことからコストを抑えるためである。
【００２２】
主検出手段１ｂ１は、アナログ交流電気量を取り込み、後述する処理を施して生成した複数の判定対象データをネットワーク１００ｅに出力するともに、後述するサンプル値をネットワーク１００ｃを介して監視手段１ｆに出力するように構成されている。
【００２３】
監視手段１ｆは、主検出手段１ｂ１と故障検出手段１ｂ２から受け取った複数の判定対象データ及びサンプル値を保存するとともに、後述するシーケンス手段１ｇ、１ｊ及び入力・出力手段１ｈ、１ｋからの情報を保存する。
【００２４】
また、監視手段１ｆには、ネットワーク１００ｇを介して、操作・表示パネル手段１ｍを接続するようにして、人間系からの操作信号の受付や、ＬＥＤ等の表示信号の出力を行う。主に、この操作は、保護演算の整定値の入力・変更や装置状態の確認のための操作などを行うものである。さらに、ネットワーク１００ｈを介して、内部の各種情報をパソコンに転送あるいは操作指令情報を入手する。
【００２５】
図２は、主検出手段１ｂ１の構成を示す。主検出手段１ｂ１は、信号入力手段１ｄと、信号処理手段１ｅとを備えている。信号入力手段１ｄは、アナログ交流電気量をそれぞれ取り込んで、折り返し誤差防止のために帯域制限する複数のアナログフィルタ２ａ、２ｂと、アナログフィルタ２ａ、２ｂの出力を取り込んで切り換えて順次出力するマルチプレクサ２ｃと、マルチプレクサ２ｃの出力をディジタル量に変換するアナログ／ディジタル変換手段２ｄと、アナログ／ディジタル変換手段２ｄの出力を取り込んで所望のフィルタ特性を得るためのディジタルフィルタ演算を行うディジタルフィルタ演算手段２ｅと、通信手段２ｆと、パルストランス２ｇとを備えて構成されている。
【００２６】
また、信号入力手段１ｄは、ディジタルフィルタ演算手段２ｅの出力を、信号処理手段１ｅに出力するとともに、サンプル値として通信手段２ｆ及びパルストランス２ｇを介して電気的な絶縁を確保しながらネットワーク１００ｃに出力するように構成されている。図３（ａ）にディジタルフィルタ演算手段２ｅの回路の一例である２次バイクワッド形目ＩＩＲ（Ｉｎｆｉｎａｉｔｅ  Ｉｍｐｕｌｓｅ  Ｒｅｓｐｏｎｃｅ）フィルタを示す。このフィルタの伝達関数は以下の式で表すことができる。
【数１】
2010045896.tif 000003
なお、Ａ１、Ａ２、Ｂ１、Ｂ２、Ｈ０はフィルタ係数を示す。
【００２７】
図３（ａ）において、ディジタルフィルタ演算手段２ｅは、乗算器４ａ、４ｂ、４ｃ、４ｄ、４ｅと、サンプル遅延器４ｆ、４ｇと、加算器４ｈ、４ｉ、４ｊ、４ｋを備え、入力信号ｘｎを取り込み、出力信号ｙｎを出力する。本フィルタにてＡ１、Ａ２、Ｂ１、Ｂ２、Ｈ０のフィルタ係数を適宜設定することにより，所望のフィルタ特性を得ることが可能である。図３（ｂ）に特性例を示す。図３には、ローパスノッチ形のフィルタ４０ｂ、バンドパス形のフィルタ４０ａが示されている。図３（ｃ）に示すように、フィルタ４０ａの出力をチャンネル１、フィルタ４０ｂの出力をチャンネル２でサンプリング周期Ｔ１毎に出力するようになっている。図４（ａ）に出力したサンプル値を転送するタイミング例を示す。サンプル値は、プリアンブル後、複数の判定対象データ♯１〜♯ｎを結合させ、最後のフレームチェックシーケンスＦＣＳを付加して、サンプリング周期Ｔ１で繰り返して出力ようになっている。サンプリングは、電気角３．７５度で行われる。なお、通信手段２ｆは、サンプル値をサンプリング周期Ｔ１毎に転送完了するプロトコルを備えている。
【００２８】
本発明の特徴部である信号処理手段１ｅは、図２に示すように、信号生成回路２ｈとデータ転送制御手段２ｉと、整定メモリ手段２ｊと、通信手段２ｋと、パルストランス２ｍと、終端抵抗２ｎと、内部バス２ｏとを備えて構成されている。信号生成回路２ｈは、ディジタルフィルタ演算手段２ｅの出力に基づいて、複数の判定対象データを生成する。複数の判定対象データとは、後に詳述するシーケンス手段１ｇが保護リレー出力を生成するために必要な整定値と比較するためのデータであり、振幅、周期、位相、周波数等である。図５（ａ）に信号生成回路２ｈの一例であるヒルベルト変換器を示す。ヒルベルト変換器は、遅延器５ａ、５ｂ、５ｃ、５ｄ、５ｅと、乗算器５ｆ、５ｇ、５ｈ、５ｉ、５ｊと、加算器５ｋ、５ｌ、５ｍ、５ｎを備える。図５（ｂ）にゲイン特性を示す。乗算器５ｆ、５ｇ、５ｈ、５ｉ、５ｊは、ヒルベルト変換器を構成するために予め算出した係数を格納しておき、それぞれの入力信号に応じて算出するものである。本ヒルペルト変換器では、出力yReとyImとでは、位相θが９０度となるように構成したものであり、それぞれの出力は図５（ｂ）に示すように５０ｃと５０ｄとなる。したがって、各演算タイミング時において、瞬時値である出力yReとyImを用い、下記式にて振幅値を求めることができる。このタイミングは任意の時刻で実現できる。
【００２９】
【数２】
2010045896.tif 000004
また、図６（ａ）は、周波数データを生成するＦＦＴ（高速フーリエ変換）の構成例を示すものである。ＦＦＴに、入力信号ｘ（０）〜ｘ（ｎ）を印加することで、周波数領域に変換した出力信号が得られる。図６（ｂ）は、基本波に第３高調波成分を３０％含んだ信号例であり、この信号をＦＦＴ処理することで、図６（ｃ）に示すような周波数分析結果を得ることができる。この演算結果を、第６図（ｄ）に示すようなデータ系列で出力するようにする。Ｘ（１）に周波数ｆ１、Ｘ（２）に周波数ｆ２を出力する。
【００３０】
なお、位相は、ディジタルフィルタ演算手段２ｅの出力の２つの瞬時値から求めることができる。
【００３１】
図４（ｂ）は、信号処理手段１ｅのデータ転送手段２ｉが、複数の判定対象データを転送するタイミングを示す。データ転送手段２ｉは、通信手段２ｋ及びパルストランス２ｍを介して電気的な絶縁を確保しながらネットワーク１００ｅに出力する。転送周期はＴ２であり、サンプリング周期Ｔ１と同じでも良いが、Ｔ１より遅い周期、例えば、電気角３０度にて実施しても構成しても良い。双方とも判定対象データの最後にフレームチェックシーケンスを付加して、データ誤り等を検出するようにして、信頼性を確保している。
【００３２】
図８に監視手段１ｆの構成図を示す。監視手段１ｆは、パルストランス８ａ、８ｂ、８ｅ、８ｈ、８ｒ、通信手段８ｃ、８ｄ、８ｇ、８ｊ、８ｎ、８ｐ、演算手段８ｋ、メモリ手段８ｌ、データセーブ手段８ｐ、時刻手段８ｑ、内部バス８ｍとを備えて構成されている。
【００３３】
監視手段１ｆは、パルストランス８ａ、８ｂ及び通信手段８ｃ、８ｄを介して、サンプル値を取り込んでメモリ手段８ｌに保存する。通信手段８ｃ、８ｄ内には、受信したサンプル値を一次保存するバッファメモリを備えておく。サンプル値は、通信手段８ｃ、８ｄ内のバッファが規定値を満たした場合、内部バス８ｍを経由し、演算手段８ｋに受信割込み信号を発行するようにしておく。
【００３４】
また、パルストランス８ｅ、８ｈ及び通信手段８ｇ、８ｊを介して、複数の判定対象データを取り込んでメモリ手段８ｌに保存する。メモリ手段８ｌに判定対象データ等を保存する際に、時刻手段８ｑから得られた時刻情報をあわせて付加することで、時刻付けの一元管理が可能である。
【００３５】
さらに、後述するシーケンス手段１ｇ、１ｊからの各種のイベント（リレー動作、装置不良など）が発生したとき、フラッシュメモリに代表される不揮発性メモリのデータセーブメモリ手段８ｐに上記のメモリ手段８ｌの内容を格納するようにする。
【００３６】
また、監視手段１ｆは、通信手段８ｎを介して、操作・表示パネル手段１ｍに表示情報出力や、操作・表示パネル手段１ｍからの操作入力情報を取り込む。また、通信手段８ｏ及びパルストランス８ｒを介してデータを送受信するようにして、図示していないパソコン等と通信可能になっている。
【００３７】
ネットワーク１００ｅ、１００ｆはマルチドロップ方式で接続し、かつ、各パルストランスにて絶縁をとるように構成することで、監視手段１ｆが不良時でも、情報伝送を妨げないようにすることができ、後段の処理に影響を与えないようにすることが可能である。
【００３８】
このように、監視手段１ｆに全てのネットワークが接続するように構成し、全てのサンプル値、複数の判定対象データ、入力・出力手段１ｈ、１ｋの制御信号が集まるように構成する。
【００３９】
図９（ａ）に本発明の特徴部の一つであるシーケンス手段１ｇを示す。シーケンス手段１ｇは、パルストランス９ａと、通信手段９ｃと、演算手段９ｅと、整定メモリ手段９ｇと、メモリ手段９ｈと、インターフェース９ｆを備えて構成されている。また、シーケンス手段１ｇは、複数の保護リレー出力を行う複数のシーケンス処理を有する。
【００４０】
図９（ｂ）に、シーケンス手段１ｇの処理概要を示す。シーケンス手段１ｇの演算手段９ｅは、予め定めたシーケンス処理において、パルストランス９ａ及び通信手段９ｃを介して、整定メモリに格納した整定値に基づいて複数の判定対象データの中から必要な判定対象データ、例えば振幅値を選択して取り込み（データ選択１０ｂ）、取り込んだ判定対象データと整定メモリに格納した整定値とを比較判定する保護リレー判定処理１０ｃと、シーケンス処理（１０ｅ）を実行する。シーケンス処理実行後、インターフェース９ｆを介して、入力・出力手段１ｈに保護リレー出力するように動作する。また、保護リレー出力内容を保存するために通信手段９ｃを介して監視手段１ｆに保護リレー出力を送信する。
【００４１】
図１０に入力・出力手段１ｈの構成図を示す。入力・出力手段１ｈは、パルストランス１１ｇと、通信手段１１ｉと、データ入力手段１１ｃと、インターフェース１１ａと、データ出力手段１１ｂと、リレードライバ手段１１ｄと、ＤＩ手段１１ｆと、ＤＯ手段１１ｅと、終端抵抗１１ｊとを備えて構成されている。また、ローカルバス１ｉとシーケンス手段１ｇと通信可能に接続されている。
【００４２】
入力・出力手段１ｈは、ローカルバス１ｉを介してシーケンス手段１ｇの保護リレー出力を取り込み、リレードライバ手段１１ｄを介してＤＯ手段１１ｅに保護リレー出力を行い、図示していない保護リレーを動作させる。また、ＤＩ手段１１ｆを介して、保護リレーの状態を取り込み、通信手段１１ｉを介して監視手段１ｆに出力する。また、監視手段１ｆからの複数の判定対象データを取り込むようにもなっている。
【００４３】
このように構成することで、ローカルバス１ｉ側とネットワーク１００ｅ側の双方でインターフェースすることが可能である。したがって、ネットワーク１００ｅ側での拡張機能は、ローカルバス１ｉバスで拡張が困難な場合に有効である。
【００４４】
図１１（ａ）は、ネットワーク１００ｅを介した送受信の項目とデータの書込み機能（Ｗ）と読出機能（Ｒ）の属性を合わせて一覧表に要約したものである。図１１（ａ）において、故障情報エリアと共用ワークエリアを除く、該当する情報発信元の領域のみがＲ/Ｗの属性となっており、その他は読出（Ｒ）のみとして、情報が誤って、破壊されることを防止している。例えば、主検出基板は、複数の判定対象データ及び装置故障情報については、書込み、読出が可能であるが、整定値及びリレー動作出力データは読出のみが可能となっている。
（実装例）
図１１（ｂ）、（ｃ）において、本発明のディジタル保護制御装置の実装例を示す。ディジタル保護制御装置は、電源ユニット１３ａ、入力変換ユニット１３ｂ、主検出ユニット１３ｃ、故障ユニット１３ｄ、監視ユニット１３ｅ、主検出側ＳＥＱユニット１３ｆ、故障検出側ＳＥＱユニット１３ｇ、主検出側入力・出力ユニット１３ｋ、１３ｌ、故障検出側入力・出力ユニット１３ｇ、１３ｈ、１３ｉ、１３ｊからなっている。
【００４５】
図１１（ｂ）から（ｃ）へのデータ転送は、主検出側が１３０ｆ、故障検出側が１３０ｅのネットワークを経由して情報伝送する。また、主検出ユニット１３ｃから監視ユニット１３ｅヘのサンプル値は１３０ａのネットワークで転送し、故障検出側では、１３０ｂのネットワークにてデータ伝送する。さらに、前述したマルチドロップ方式のネットワークを１３０ｃ、１３０ｄにて示す。このように構成することで、並列バスの引き回しがなく、データ転送の省配線化が達成できる。
【００４６】
以上本実施例に示したように、ディジタル保護制御装置を、電力系統の複数のアナログ交流電気量をそれぞれ入力変換器１ａを介して順次取り込んでディジタル変換及びディジタルフィルタ処理をする信号入力手段１ｄと、信号入力手段１ｄから出力される複数のディジタル交流電気量に基づいて予め設定された複数の判定対象データを生成し、生成された複数の判定対象データを予め定められた周期で出力する信号処理手段１ｅと、信号処理手段１ｅから周期で出力される複数の判定対象データの中から予め設定された判定対象データを選択し、その選択した判定対象データと整定値とを比較して保護リレー出力を生成する複数のシーケンス処理を有してなるシーケンス手段１ｇとを備えてなるように構成した。
【００４７】
これにより、信号入力手段１ｅで予め設定された複数の判定対象データを生成しておけることから、シーケンス手段１ｇには判定対象データを生成するための回路やソフトウェア等を組み込む必要がなく、シーケンス手段１ｇでは複数の判定対象データのうちから選択した判定対象データと、整定値との比較のみを行うように構成することができる。これにより、シーケンス手段１ｇを新たに設けたり、変更したりした際のディジタル保護制御装置の検証作業が簡素化される。すなわち、信号処理手段１ｅについては変更していないので、この部分は簡単な検証作業のみでよい。また、信号処理手段１ｅのソフトウェアを一部変更した場合は、シーケンス手段１ｇについては変更していないので、この部分は簡単な検証作業のみでよい。
【００４８】
以上、本実施例のディジタル保護制御装置について説明したが、本発明は、この実施例に限らず適宜構成を変更して適用することができる。
【００４９】
例えば、本実施例では、主検出手段１ｂ１と故障検出手段１ｂ２を設けたが、主検出手段１ｂ１のみでもよい。また、信号処理手段１ｅから出力するサンプル値は、データ保存のためのものであるので、サンプル値を出力しないように構成してもよい。
【００５０】
また、図２に示すように、監視手段１ｆに、整定メモリ手段２ｊを備えることにより、予め、複数の判定対象データを選択する情報を格納しておき、その内容に応じて判定対象データを選択して転送させることも可能である。すなわち、シーケンス手段１ｇで行っていたデータ選択１０ｂを監視手段１ｆで行うこともできる。
【図面の簡単な説明】
【００５１】
【図１】本発明の実施例のディジタル保護制御装置の構成図である。
【図２】主検出手段の構成図である。
【図３】（ａ）は、ディジタルフィルタ演算手段の回路例であり、（ｂ）は、フィルタ特性、（ｃ）は、フィルタ出力の様子である。
【図４】（ａ）は、サンプル値の出力タイミングであり、（ｂ）は、複数の判定対象データの出力タイミングである。
【図５】（ａ）は、信号生成回路の一例であり、（ｂ）は、フィルタ特性及びフィルタ出力の波形である。
【図６】信号生成回路の一例であるＦＦＴの構成例である。
【図７】（ａ）は、交流アナログ電気量の一例であり、（ｂ）は、ＦＦＴを行った周波数分析結果であり、（ｃ）は、フィルタ出力の様子である。
【図８】監視手段１ｆの構成図である。
【図９】（ａ）は、シーケンス手段の構成図であり、（ｂ）は、シーケンス手段の処理概要である。
【図１０】入力・出力手段の構成図である。
【図１１】（ａ）は、データ書込み機能と読出機能の一覧表であり、（ｂ）、（ｃ）は、ディジタル保護制御装置の実装例である。
【符号の説明】
【００５２】
１ａ  入力変換器
１ｂ１  主検出手段
１ｄ  信号入力手段
１ｅ  信号処理手段
１ｆ  監視手段
１ｇ、１ｊ  シーケンス手段
１ｈ、１ｋ  入力・出力手段
２ｈ  信号生成回路
【図１】
2010045896.tif 000005
【図２】
2010045896.tif 000006
【図３】
2010045896.tif 000007
【図４】
2010045896.tif 000008
【図５】
2010045896.tif 000009
【図６】
2010045896.tif 000010
【図７】
2010045896.tif 000011
【図８】
2010045896.tif 000012
【図９】
2010045896.tif 000013
【図１０】
2010045896.tif 000014
【図１１】
2010045896.tif 000015